(57)【特許請求の範囲】
【請求項１】
複数の信号電極と、
該複数の信号電極のそれぞれと交差する複数の走査電極と、
該複数の信号電極と該複数の走査電極との間に形成された液晶層と、
信号電圧を前記各信号電極に印加する信号側駆動手段と、
走査電圧を前記各走査電極に順次印加する走査側駆動手段と、
該信号側駆動手段と該走査側駆動手段のそれぞれに前記信号電圧および走査電圧を供給する電源回路とを備え、
前記各信号電極に印加される信号電圧と前記各走査電極に印加される走査電圧とに基づいて、前記各信号電極と各走査電極との交点の液晶層がそれぞれ駆動される液晶表示装置であって、
前記走査電圧が前記各走査電極に印加される間に前記各信号電極にそれぞれ印加される信号電圧と、前記各走査電極に前記走査電圧が印加される直前において走査電圧が印加される走査電極における該走査電圧の印加の間に各信号電極にそれぞれ印加される信号電圧との変化に基づいて、前記各走査電極に対する走査電圧の後淵部を非選択電位にする第１補正期間を決定し、前記走査電圧が前記各走査電極に印加される間に前記各信号電極にそれぞれ印加される信号電圧に基づいて前記各走査電極に対する走査電圧の後淵部を非選択電位にする第２補正期間を決定し、前記走査電圧が印加される前記各走査電極の位置に基づいて、該走査電圧の後淵部を非選択電位にする第３補正期間を決定する補正値決定手段と、
該補正値決定手段によって決定された前記第１、第２および第３補正期間を統合した第４の補正期間を算出する演算手段と、
該演算手段が算出した該第４の補正期間に基づく前記補正信号を該走査側駆動手段に印加する補正信号発生手段と、
を有する液晶表示装置。
【請求項２】
前記第１、第２および第３補正期間を決定するためのパラメータを予め設定するパラメータ設定手段をさらに有する請求項１に記載の液晶表示装置。
【請求項３】
前記液晶層が交流化駆動信号によって交流化駆動されるようになっており、前記補正値決定手段が、前記第１補正期間を決定する際に、前記走査電圧が前記各走査電極に印加される間に前記各信号電極にそれぞれ印加される信号電圧と、前記各走査電極に前記走査電圧が印加される直前において走査電圧が印加される走査電極における該走査電圧の印加の間に各信号電極にそれぞれ印加される信号電圧との変化を、前記交流化駆動信号を考慮して求める、請求項１または２に記載の液晶表示装置。
【発明の詳細な説明】
【０００１】
【発明の属する技術分野】
本発明は、液晶表示装置、特に、電圧平均化法により駆動される単純マトリクス型液晶パネルを用いた液晶表示装置に関する。
【０００２】
【従来の技術】
近年、パーソナルコンピュータやワードプロセッサの普及に伴い、その表示装置として大型で消費電力が大きいＣＲＴに代わり、軽量且つ薄型で電池駆動も可能な液晶表示装置が広く採用されている。
【０００３】
この液晶表示装置の駆動方法の一つである単純マトリクス駆動はアクティブマトリクス駆動に比べて、マトリクス配列された各画素に非線形素子が不要である為、比較的製造が容易で、低コストであるというメリットを持つが、表示容量且つ表示面積が増大するに従って、その特性上表示パターンに依存した表示ムラ、又は液晶モジュールの機構、或いは構造的要因により現れる表示ムラ等により表示品質が低下する傾向にある。
【０００４】
上述の表示パターン依存の表示ムラとしては走査電極単位で現れる輝度ムラがある。第一に、信号電圧の変化が走査電極側に誘導され、走査信号の波形に液晶の容量成分と信号及び走査電極側の抵抗成分との時定数に依存した微分波形、つまり誘導歪みを生じる事が原因となって現れるものが挙げられ（以下、第一の表示ムラと称す）、第二に、信号側電極より印加される表示データにおけるオン（点灯）画素数とオフ（非点灯）画素数の比率（すなわち、信号電圧の構成（ＯＮ信号とＯＦＦ信号との比率））により、走査電極単位としての容量が変化することに起因するものが挙げられる（以下、第二の表示ムラと称す）。
【０００５】
さらに、第三に、上記の構造的要因により現れる表示ムラの一つとして、走査電極単位で縦方向に段階的に現れる輝度ムラが挙げられる。これは単純マトリクス型液晶表示装置において、表示パネルのセル厚ムラや、バックライトのランプから発生する熱等により、液晶の配向特性や液晶自身の特性が変化し、液晶パネル内における各液晶画素（走査電極と信号電極との交差部によって規定される表示単位）の最適電圧値に差異が現れ、位置依存的にいわゆる白抜け（光抜け）等による表示ムラが発生し、この為に表示品位が低下する傾向にある（以下、第三の表示ムラと称す）。
【０００６】
以上に走査電極単位として各走査電極間に現れる輝度ムラの主な要因を三つ挙げたが、以下にそれらについて詳細に説明する。
【０００７】
上記従来の液晶表示装置は図１４に示す様に、互いに交差して配列されている複数の走査電極Ｙ１〜ＹＭと複数の信号電極Ｘ１〜ＸＮを備える液晶パネル１と、走査電極に線順次に電圧を印加する走査側駆動回路３と、信号電極に表示データに基づく信号電圧を印加する信号側駆動回路２と、駆動に必要な電圧を発生する電源回路４と、前記走査側駆動回路３及び信号側駆動回路２を制御するコントロール回路５を備えている。
【０００８】
上記走査電極は順次走査され、選択時には電源回路から供給される選択電圧Ｖ１、若しくはＶ５が、非選択時には前記電源回路から供給される非選択電圧Ｖ３が印加される一方、信号電極には表示データに対応して、前記電源回路から供給されるオン電圧若しくはオフ電圧を印加して駆動される。
【０００９】
電源回路４は信号側駆動回路２に供給される駆動電圧Ｖ２，Ｖ４を発生すると共に、走査側駆動回路３に供給される駆動電圧Ｖ１，Ｖ３，Ｖ５を発生する様になっている。
【００１０】
またコントロール回路５は信号側駆動回路２に対して表示データＤ、データシフトクロックＣＫ、走査クロックＬＰ及び交流化信号ＦＲを出力する一方、走査側駆動回路３に対して走査クロックＬＰ、走査開始信号ＦＬＭ、及び交流化信号ＦＲを出力する様になっている。
【００１１】
ここで上記構成の液晶表示装置において、第一及び第二及び第三それぞれの表示ムラについて説明を行う為、図１３に示した様な白背景に黒ブロックパターンを表示させた場合について、各図を参照しながら説明する。
【００１２】
尚、本明細書において説明する液晶表示装置の液晶パネルは、液晶画素（表示ドット）に印加される実効電圧が大きくなると明るくなるいわゆるネガ表示をしているとする。
【００１３】
第一の表示ムラについては、以下の通りである。図７のＤｘは信号電極Ｘａ＋１〜Ｘｂに印加される波形で、Ｈがオン（点灯）表示、Ｌがオフ（非点灯）表示の表示データを表わしており、走査クロックＬＰの立ち下がりから次の立ち下がりの間に各走査電極Ｙに対応する信号電圧を出力しており、走査電極Ｙａ＋１にてオン表示からオフ表示に変化し、走査電極Ｙｂ＋１にてオフ表示からオン表示に変化している。
【００１４】
図７（Ａ）の信号電圧がオン表示の走査電極Ｙａに対応するデータからオフ表示の走査電極Ｙａ＋１に対応するデータに電圧が切り替わる時に、信号電圧Ｄｘの電圧レベルが変化し、この変化分に相当するスパイク電圧が走査電極Ｙに誘導され、走査電極Ｙの信号波形に誘導歪みを発生させる。
【００１５】
この時走査電極Ｙａ−１や走査電極Ｙａ＋２、と比べ、走査電極Ｙａ、走査電極Ｙａ＋１の走査選択パルスの実効値が大きくなる様にスパイク電圧が作用し、その結果、走査電極Ｙａ及び走査電極Ｙａ＋１において実効値の増大分だけ走査電極Ｙａ−１や走査電極Ｙａ＋２の同じ色の表示より明るく見える（以下、白抜けと称す）事になる。又、図７（Ｂ）の信号電圧がオフ表示の走査電極Ｙｂに対応するデータからオン表示の走査電極Ｙｂ＋１に対応するデータに電圧が切り替わる時に、信号電圧Ｄｘの電圧レベルが変化し、この変化分に相当するスパイク電圧が走査電極Ｙに誘導され、走査電極Ｙの信号波形に誘導歪みを発生させる。
【００１６】
この時走査電極Ｙｂ−１や走査電極Ｙｂ＋２と比べ、走査電極Ｙｂ、走査電極Ｙｂ＋１の走査選択パルスの実効値が小さくなる様にスパイク電圧が作用し、その結果、走査電極Ｙｂ及び走査電極Ｙｂ＋１において実効値の減少分だけ走査電極Ｙｂ−１や走査電極Ｙｂ＋２の同じ色の表示より暗く見える（以下、黒落ちと称す）事になる。
【００１７】
上記の様な現象は、走査ラインに選択パルスが印加されている時に発生するスパイク電圧が、液晶に印加される電圧の実効値の増減により影響を及ぼす為であると考えられる。
【００１８】
第二の表示ムラについては、以下の通りである。
【００１９】
図９は対応する表示データが全部オン（点灯）表示である走査電極Ｙａ−１及び、部分的にオフ（非点灯）表示の混じる走査電極Ｙａ＋２それぞれにおける走査選択パルスの波形を示したものである。
【００２０】
図９（Ａ）、図９（Ｂ）に示した様に、走査電極Ｙａ＋２を走査する選択パルスの実効値（Ｂ）の方が走査電極Ｙａ−１を走査する選択パルスの実効値（Ａ）に比べて大きくなっており、これにより走査電極Ｙａ−１よりも走査電極Ｙａ＋２の方が明るく見える（以下白抜けと称す）。
【００２１】
これは周知の様に、液晶画素が表示ドット単位として等価回路的に容量性を持つという事に起因するものであり、さらにオン画素に比ベオフ画素における液晶画素の方が誘電率が低くなり、よって容量値が小さくなるという事を踏まえると、オフ画素数を含まない走査電極Ｙａ−１における選択パルスの方が、オフ画素数をより多く含む走査電極Ｙａ＋２における選択パルスよりも印加波形がより鈍る分、実効値が小さくなる事による。
【００２２】
尚、上記においては説明の簡略化の為、第一の表示ムラによる実効値の増減に影響の出ない走査電極を対象としたが、この現象は他の任意の走査電極についても現れる事は言うまでもない。
【００２３】
第三の表示ムラについては、以下の通りである。
【００２４】
図１１は液晶表示パネルの中央部と端部とにおける電気光学特性を示したものであるが、例えば最適なオフ（非点灯）表示が得られる実効電圧値がパネル中心部でＶｔｈｎ、端部でＶｔｈ１とすると、中央部で最適な実効値（Ｖｔｈｎ）を印加した場合、端部の透過率が中央部より大きくなり、この傾向はオン（点灯）表示についても言え、例えばパネル中央部に近い走査電極Ｙａ−１上の表示と、パネル端部の走査電極Ｙ１上の表示では、どちらも全てオン（点灯）表示であるが、走査電極Ｙ１上のオン表示がより明るく見える事になる（以下、白抜けと称す）。
【００２５】
これは、単純マトリクス型液晶表示パネル（特にノート型ＰＣ、又はモニター向けに搭載される様な中型〜大型パネル）においては、長方形四辺に沿ってシール材が存在するパネル端部と、パネル中央部とで特にセル厚の差異があり、これが液晶画素の配向特性に影響を及ぼしている事に起因しているとされ、更にパネルの長辺側端部についてはバックライトのランプが沿っている場合が多く、これから発生する熱によってランプからの距離に応じ、液晶画素自身の特性が概ね走査電極毎として変化するという事が挙げられ、この場合においては、パネルの長辺端部がさらに明るく見えるという事になる。
【００２６】
そこで、第一の表示ムラについては図８（Ａ）、図８（Ｂ）に示す様に、走査電極の走査選択パルスに対して、信号電圧Ｄｘが次の走査電極に対応するデータに切り替わるタイミングの前後で、Δｔの期間を非選択電位に固定する方法が提案されており、これによれば走査電極に対して選択電位が出力される期間には、スパイク電圧が誘導されていない為、結局スパイク電圧による液晶に印加される電圧の実効値のばらつきの影響が少なくなる事で該第一の表示ムラにおける白抜け及び黒落ちの抑制が図られる事となる（例えば特開平７−８４２３７号公報で開示された従来技術）。
【００２７】
次に第二の表示ムラについては図１０（Ａ）、図１０（Ｂ）に示す様に、各々の走査電極に対して、対応する表示データのオン画素数に基づいて補正電圧印加期間を決定し、各々の走査電極に出力される走査選択パルスの前淵部に対して実効値が増大する様な補正電圧を前記印加期間だけ出力するといった方法が提案されている。即ち上図において全ての画素がオン（点灯）表示である為、より波形が鈍る走査電極ラインＹａ−１の走査選択パルスに出力される補正電圧の印加期間ｔ１の方が、オフ（非点灯）表示が混じる事により波形鈍りの程度がより小さくなる走査電極ラインＹａ＋２の走査選択パルスに出力される補正電圧の印加期間ｔ２よりも、オン画素の過剰数に応じた分だけ長くする事で該第二の表示ムラにおける白抜けの抑制を図っている（例えば特開平２−８９号公報で開示された従来技術）。
【００２８】
次に第三の表示ムラについては、走査電極単位として予め液晶モジュール内で設定済みの、補正電圧印加期間を決定する補正パラメータに対し、適宜読み出しを行って、対応する走査電極に出力される走査選択パルスの所定の期間内に対して実効値が減少する様な補正電圧、或いは非選択電圧を前記印加期間だけ出力するといった方法が提案されている。即ち補正電圧の場合で述べると、図１２（Ａ）、図１２（Ｂ）に示す様に例えば走査電極ラインＹ１や走査電極ラインＹａ−１が走査される時にそれぞれの場合において、予め使用する液晶モジュール内の第三の表示ムラに係わる機構又は構造的特性に基づいて設定されている補正パラメータが適宜読み出され、該パラメータに基づいた印加期間だけ補正電圧がそれぞれ出力されるのであるが、この時に走査電極ラインＹａ−１への印加期間ｔ１よりも走査電極ラインＹ１への印加期間ｔ２が適度に長くなる様な補正データとしておく、即ち走査電極ラインＹａ−１上のオン画素にかかる実効電圧値による液晶の透過率と、走査電極ラインＹ１上のオン画素にかかる実効電圧値による液晶の透過率を等しくしておく事で、第三の表示ムラにおける白抜けの抑制を図っている（特願平9-57234号）。
【００２９】
【発明が解決しようとする課題】
しかしながら上記のものを含む従来技術では、個々として、或いは液晶表示装置の表示品位の更なる向上を考慮し、第一及び第二及び第三の表示ムラを同時に抑制する事を考えた場合、以下の様な問題点を有している。
【００３０】
即ち、第一の表示ムラに対応する為に前記従来技術を適用した場合、データ信号の電圧変化による走査電極の走査選択パルスヘの誘導波形歪の影響を避ける為に、走査選択パルスの前淵部を所定の時間が経過するまで非選択電位とし、走査選択パルスの後淵部を所定の時間が経過するまで非選択電位とする事となるが、この方法では走査選択パルスの前後共に本来選択電位であった部分を非選択電位とする事で第一の表示ムラを抑制しており、全ての走査電極の選択電圧印加期間を少なくしてしまうものであり、液晶に印加される電圧の実効値を低下させることになり、輝度の低下、延いては表示コントラストの低下を招くという問題点があった。
【００３１】
次に第二の表示ムラに対応する為に前記従来技術を適用した場合、走査選択ラインに対して補正を行う為に、オン表示画素のデータを走査電極単位毎にカウントしており、例えばこのカウント数に応じた補正期間として走査選択電位よりも高い補正電位を走査選択パルスに出力する事となり、結局、別途補正用の電位を液晶表示装置内に設ける必要があり、これに伴うコストの増加が避けられなかった。
【００３２】
そして、第一及び第二及び第三の表示ムラの内、複数を組み合わせて、或いは全てを同時に改善する事を考えた場合についても、例えば、前記の従来技術等の個々の単純な組み合わせでは、結局、個々の表示ムラの改善を行う為の回路が必要となる事に加え、別途補正用電位を少なくとも１つ以上設ける必要が生じ、且つ、本来の走査選択電位とのスイッチング動作を行わせる手段を講じなければいけなくなる事、又、走査選択パルスに出力する補正電圧の印加期間が重ならない様なタイミング動作を行う為の回路を別途設ける必要が生じる事等、実現の為には相当量の回路規模及びコストの増加が伴うと考えられる。
【００３３】
本発明は、上記問題点に鑑みてなされたものであり、コントラストの低下を極力抑え、且つコストの増加を必要最小限としながらも、走査電極単位として現れる前記三種の表示ムラを走査選択パルスに補正を施す事によって低減を図り、液晶表示装置の表示品位の向上を達成することを目的とする。
【００３４】
【課題を解決するための手段】
本発明の液晶表示装置は、複数の信号電極と、該複数の信号電極のそれぞれと交差する複数の走査電極と、該複数の信号電極と該複数の走査電極との間に形成された液晶層と、信号電圧を前記各信号電極に印加する信号側駆動手段と、走査電圧を前記各走査電極に順次印加する走査側駆動手段と、該信号側駆動手段と該走査側駆動手段のそれぞれに前記信号電圧および走査電圧を供給する電源回路とを備え、前記各信号電極に印加される信号電圧と前記各走査電極に印加される走査電圧とに基づいて、前記各信号電極と各走査電極との交点の液晶層がそれぞれ駆動される液晶表示装置であって、前記走査電圧が前記各走査電極に印加される間に前記各信号電極にそれぞれ印加される信号電圧と、前記各走査電極に前記走査電圧が印加される直前において走査電圧が印加される走査電極における該走査電圧の印加の間に各信号電極にそれぞれ印加される信号電圧との変化に基づいて、前記各走査電極に対する走査電圧の後淵部を非選択電位にする第１補正期間を決定し、前記走査電圧が前記各走査電極に印加される間に前記各信号電極にそれぞれ印加される信号電圧に基づいて前記各走査電極に対する走査電圧の後淵部を非選択電位にする第２補正期間を決定し、前記走査電圧が印加される前記各走査電極の位置に基づいて、該走査電圧の後淵部を非選択電位にする第３補正期間を決定する補正値決定手段と、該補正値決定手段によって決定された前記第１、第２および第３補正期間を統合した第４の補正期間を算出する演算手段と、該演算手段が算出した該第４の補正期間に基づく前記補正信号を該走査側駆動手段に印加する補正信号発生手段と、を有し、それによって上記目的が達成される。
【００３７】
前記第１、第２および第３補正期間を決定するためのパラメータを予め設定するパラメータ設定手段をさらに有してもよい。
【００３９】
前記液晶層が交流化駆動信号によって交流化駆動されるようになっており、前記補正値決定手段が、前記第１補正期間を決定する際に、前記走査電圧が前記各走査電極に印加される間に前記各信号電極にそれぞれ印加される信号電圧と、前記各走査電極に前記走査電圧が印加される直前において走査電圧が印加される走査電極における該走査電圧の印加の間に各信号電極にそれぞれ印加される信号電圧との変化を、前記交流化駆動信号を考慮して求めるようにしてもよい。
【００４０】
以下、作用について説明する。
【００４１】
本発明の構成によれば、信号電極と走査電極との交差する点が液晶パネルの各画素に対応し、信号電圧が印加された信号電極と走査電圧が印加された走査電極との交点に対応する画素が点灯することによって液晶パネルに所望のデータが表示される。ここで、信号電極側から印加される表示データの電位変化によって、走査電極側に現れる波形歪みに伴う走査選択パルスの実効電圧値の変化１及び、信号電極側より印加される表示データのオン（点灯）画素数とオフ（非点灯）画素数の比率に依存して現れる走査選択パルスの実効電圧値の変化２及び、液晶モジュールにおける液晶画素の配向特性の不均一性に起因した走査選択パルスの最適電圧値の変化３を、まとめて補正する手段として適宜、走査選択パルスの後淵部に補正電圧としての非選択電位を任意期間出力する為の、補正信号を発生する手段を具備する様な構成を液晶表示装置内に設ける事で、走査電極単位として現れる、上記電圧値の変化１によって起こる第一の表示ムラ及び、上記電圧値の変化２によって起こる第二の表示ムラ及び、上記電圧値の変化３によって起こる第三の表示ムラの全ての低減を図る事が可能となる。
【００４２】
また、一般に液晶表示装置は、印加電圧の極性をある周期毎に反転させる交流化駆動が施されており、このような交流化に依存して信号電極側から印加される表示データの電極変化が考えられる。従って、第１補正期間を決定する補正値決定手段が、走査電圧を印加する走査電極に対応する信号電圧の先の走査時からの変化の抽出に際し、液晶表示装置の交流化駆動を考慮した手段を有すれば、第一の表示ムラの低減はより効果的となる。
【００４３】
【発明の実施の形態】
本発明の実施の形態について、以下の通り説明する。
【００４４】
図１Ａは、本発明の実施の形態である液晶表示装置の構成を概略的に示すブロック図である。
【００４５】
図１Ａによれば上記液晶表示装置は、複数の信号電極Ｘ１〜ＸＮと、信号電極に交差して配列される複数の走査電極Ｙ１〜ＹＭとを備える液晶パネル１と、信号電極Ｘに表示データＤに基づく信号電圧を印加する信号側駆動回路２と、走査電極Ｙに線順次に電圧を印加する走査側駆動回路３と、信号側駆動回路２及び走査側駆動回路３に必要な電圧を発生する電源回路４と、信号側駆動回路２及び走査側駆動回路３を制御する為の信号を生成するコントロール回路５と、補正電圧としての非選択電位の出力期間を制御するＢＬＮＫ信号を走査側駆動回路３に供給する補正信号発生手段６を備えている。
【００４６】
更に、上記補正信号を発生させる為の各補正値を決定する補正値決定手段７及び、各補正値を得る為の各パラメータを設定する手段８を備えている。
【００４７】
走査側駆動回路３には、コントロール回路５から走査クロックＬＰ、交流化信号ＦＲ、走査開始信号ＦＬＭ及び、選択パルス補正制御信号ＢＬＮＫが入力され、それらの入力信号に応じて電源回路４から入力された選択電圧であるＶ１、Ｖ５若しくは非選択電圧Ｖ３が走査電極Ｙに出力される。
【００４８】
一方、信号側駆動回路２には、コントロール回路５から表示データＤ、データシフトクロックＣＫ、走査クロックＬＰ、交流化信号ＦＲが入力され、それらの入力信号に応じて電源回路４から供給されるオン電圧又はオフ電圧であるＶ２、Ｖ４を表示データＤに対応して信号電極Ｘに出力する事により駆動される。
【００４９】
そして図２に詳細図で示した様に、補正信号発生手段６は又、補正値決定手段７で決定された該第一の表示ムラに対応する補正値ＹＫ及びＹＦ、該第二の表示ムラに対応する補正値ＹＳ、該第三の表示ムラに対応する補正値ＹＷをそれぞれ受け取り、これらを演算により統合した値とし、この値を選択パルスの後淵部で補正を行う様にＢＬＮＫ信号に反映させ、又、補正信号発生手段６はオフセット補正値としてのＹＢを受け取り、この値を選択パルスの前淵部で補正を行う様にＢＬＮＫ信号に反映させる。
【００５０】
補正値決定手段７は又、パラメータ設定手段８より、上記補正値ＹＫ及びＹＦに対応するパラメータＹＫＰ及びＹＦＰを、上記補正値ＹＳに対応するパラメータＹＳＰを、上記補正値ＹＷに対応するパラメータＹＷＰを、上記補正値ＹＢに対応するパラメータＹＢＰを、そして使用液晶モジュールの解像度の情報を表わすパラメータＭＯＤをそれぞれ受け取り、各々の補正値を算出する様になっている。パラメータ設定手段８は又、上記各々のパラメータを一般の回路、又はスイッチ等を用いて、或いはＲＯＭ等の記憶手段を用いて設定する事ができ、何れにしてもモジュール外部から適宜、任意のパラメータを任意の値に設定する事ができる。
【００５１】
以下に、上記３種の表示ムラの低減化を図る動作を、各々の表示ムラーつずつとして、個別に説明していく。尚、補正値決定手段７や補正信号発生手段６には、各種データの授受や、演算の他、ＢＬＮＫ信号の生成等の動作を行うに際し、各種タイミングの設定が必要不可欠である為、補正用のシステムクロックＳＣＫが常時供給されている事を前提とする。よって、以下に示される各種補正値は、全て、補正用システムクロックＳＣＫの周期を単位とした値となっている。
【００５２】
【実施例】
先ず、第一の表示ムラを低減する動作の説明を行う。信号電極の電圧の変化によって走査電極には、スパイク電圧が発生するが、この電圧は、概ね電圧が変化する信号電極の数に応じて印加され、電圧変化の極性によって、液晶にかかる実効電圧値を増加させるものと減少させるものがある。
【００５３】
そこで、本液晶表示装置において、上記実効電圧値の変化に対する補正を行う考え方として、図１３に示した走査電極ＹａとＹａ＋１のラインで見られる第一の表示ムラによる白抜け、及び走査電極ＹｂとＹｂ＋１のラインで見られる第一の表示ムラによる黒落ちを抑制する作用を例に挙げて示す。最初に、本液晶表示装置は、全ての走査選択パルスに対して、スパイク電圧の影響による実効電圧値の増減にかかわらず、固定値としてのＹＦなる値で示される期間だけ、補正電圧としての非選択電圧を、各々の走査選択パルスの後淵部に出力する事を特徴としている。尚、上記固定値としてのＹＦは、補正パラメータＹＦＰより得られる値であり、固定値である為、ここではＹＦ＝ＹＦＰとする。
【００５４】
従って常時、非選択電圧をＹＦ期間、各々の走査選択パルスヘ出力する為、スパイク電圧が発生する直前の走査電極の走査選択パルスが、該スパイク電圧により受ける影響を避ける事が可能となる。
【００５５】
以上の事は、即ち走査電極Ｙａ及びＹｂのラインで見られる各種、第一の表示ムラを抑制する事となる。
【００５６】
続いて、本液晶表示装置は、スパイク電圧の影響による実効電圧値の減少が最大となる時を想定し、この場合の走査選択パルスの実効値を基準とし、他の走査選択パルスの実効値の基準からの差異を適宜、その程度に応じた分だけ、走査選択パルスの実効値を減少させる様な補正電圧としての非選択電圧を、対象となる走査選択パルスの後淵部に出力する事を特徴としている。
【００５７】
従って、総信号電極数をＮとし、ある走査電極に対応する信号電圧とその次のラインの走査電極に対応する信号電圧の比較を行う場合に、個数α（ｏｎ）のオン（点灯）信号から個数β（ｏｆｆ）のオフ（非点灯）信号に変化する信号電極数をｉ（ｏｎ−ｏｆｆ）、個数α（ｏｆｆ）のオフ信号から個数β（ｏｎ）のオン信号に変化する信号電極数をｉ（ｏｆｆ−ｏｎ）とする場合、下記に示す式（１）により得られた値ＹＫが選択パルスの後淵部に非選択電圧の出力期間として与えられる。
【００５８】
ＹＫ＝ＹＫＰ（Ｎ−（ｉ（ｏｆｆ−ｏｎ）−ｉ（ｏｎ−ｏｆｆ）））  式（１）
上記の値ＹＫを持った非選択電圧を適宜、対応する走査選択パルスに出力する事によって、信号電極の電圧の変化によって起こる走査電極へのスパイク電圧の影響による、各走査選択パルス間で起こる実効電圧値の差異を少なくする事ができ、スパイク電圧が発生した直後の走査電極Ｙａ＋１及びＹｂ＋１のラインで発生する各種第一の表示ムラを抑制する事ができる。
【００５９】
更に上式におけるデータ変化数の検出部分であるｉ（ｏｆｆ−ｏｎ）−ｉ（ｏｎ−ｏｆｆ）なる項は、一般的に、任意の第一の走査電極とその次に走査される第二の走査電極のそれぞれ対応する信号電極毎のデータ変化を見た場合、オン信号からオン信号となった信号電極の個数をＳａ、オン信号からオフ信号となった信号電極の個数をＳｂ、オフ信号からオン信号となった信号電極の個数をＳｃ、オフ信号からオフ信号となった信号電極の個数をＳｄとすると、第一の走査電極におけるオフ（非点灯）画素数は、Ｓｃ＋Ｓｄなる式で表され、第二の走査電極におけるオフ（非点灯）画素数は、Ｓｂ＋Ｓｄなる式で表される事から、結局、第一の走査電極のオフ（非点灯）画素数α（ｏｆｆ）と第二の走査電極のオフ画素数β（ｏｆｆ）の差が、Ｓｃ−Ｓｂ、即ちｉ（ｏｆｆ−ｏｎ）−ｉ（ｏｎ−ｏｆｆ）となる。
【００６０】
よって、式（１）で求めたＹＫは、以下の式（２）によっても求められる。
【００６１】
ＹＫ＝ＹＫＰ（Ｎ−（α（ｏｆｆ）−β（ｏｆｆ）））  式（２）
この式による場合は、オフ画素数のカウントのみで良く、信号電極毎のデータの比較が省け、又、後述する第二の表示ムラを補正する際に行う、オフ画素数のカウントにもこの時のデータが使用できる為、より装置の簡略化が図れる。
【００６２】
ここで上式におけるＹＫＰは、補正幅を決定する定数を表わしており、これは、第一の表示ムラを低減する為に必要な非選択電圧の出力期間が最適な値になる様に設定される。
【００６３】
更に、総信号電極数Ｎは、パラメータ設定手段８からのパラメータであるＭＯＤより得られる。
【００６４】
よって、結局、第一の表示ムラを抑制する走査選択パルスの後淵部への補正電圧としての非選択電圧の印加期間としては、スパイク電圧発生の直前と直後の走査電極における走査選択パルスの実行電圧値の変化に対する抑制を考慮すると、以下の式で表わされる事となる。
【００６５】
印加期間ＹＦＫ＝ＹＦ＋ＹＫ  式（３）
ここで以上の第一の表示ムラの抑制に対する、より具体的説明を行う為、図４Ａに示したタイミングチャートを参照しながら、ここで示した走査電極Ｙａと走査電極Ｙａ＋１の２本の走査電極で起こる白抜けを補正する技術を説明する。
【００６６】
図４Ａにおける走査電極Ｙａを走査する場合として、走査電極Ｙａ−１の走査信号においてＶ５からＶ３に変化して、走査選択パルスの印加が終わった直後の走査クロックＬＰの時間では、既に表示データＤとして、信号側駆動回路２への走査電極Ｙａに対応する全信号電極の表示データの転送は完了しており、補正値決定手段７への走査電極Ｙａ−１及びＹａそれぞれに対応する、全信号電極の表示データの内、オフ（非点灯）画素の表示データの転送も完了している。尚、表示データ信号Ｄｘは、黒（オフ）表示の混じる信号電極Ｘａ＋１〜Ｘｂの何れかの信号データを表わしている。
【００６７】
そしてその直後、補正値決定手段７では、上記走査電極２ライン分のオフ（非点灯）画素数を所定のタイミングで取り込み、予めパラメータ設定手段８から取り込んでいるＹＫＰ、及びＭＯＤなるパラメータから、前述の式（２）に従ったＹＫの値を算出する。そしてこの値を所定のタイミングにより、補正信号発生手段６に転送し、ここで予め補正値決定手段７から取り込んでいるＹＦと共に、補正信号発生手段６内において、これらのデータを所定のタイミングでラッチし、そして演算を行い、補正電圧としての非選択電圧の印加期間ＹＦＫの値を式（３）により算出する。よってこのタイミングで、図４Ａで示したＹＦＫのＹａ−１行補正値が確定する事となる。
【００６８】
但し、ここでは第一の表示ムラのみを抑制する説明を行っている為、他のパラメータ設定手段にて設定されるパラメータ、ＹＳＰ、ＹＷＰ、そしてＹＢＰの値は全て無視する為、０としており、これにより補正値決定手段７より補正信号発生手段に出力される各種補正値ＹＳ，ＹＷ，ＹＢの値も０となる。以後の第一の表示ムラの抑制に関する説明においても、この事を前提とする。
【００６９】
従ってこの場合は、走査電極Ｙａ−１と走査電極Ｙａに対応するデータは、全て白（点灯状態）であり、式（２）により、ＹＫの値はＹＫＰ×Ｎとなる。よってこれから式（３）により、結局ＹＦＫの値はＹＦ＋（ＹＫＰ×Ｎ）となり、図４Ａで示した様に、この値に従った期間の幅だけ一水平期間の後淵部側が、例えばロジック電圧のＬＯＷとなる様なＢＬＮＫパルスを、補正信号発生手段６から走査側駆動手段３に出力する事で、上記ＬＯＷ出力に相当する期間だけ非選択電圧が走査電極Ｙａの選択パルスに出力される。
【００７０】
次に、走査電極Ｙａ＋１を走査する場合は、走査電極Ｙａの時と同様、走査電極Ｙａの走査が終わった直後の走査クロックＬＰの時間で、既に表示データＤとして、信号側駆動回路２への走査電極Ｙａ＋１に対応する全信号電極の表示データの転送は完了しており、補正値決定手段７への走査電極Ｙａ及び走査電極Ｙａ＋１それぞれに対応する、全信号電極の表示データの内、オフ（非点灯）画素の表示データの転送も完了している。そして以後、前述と同様の動作を行うが、ここで、補正値決定手段７内で前記式（２）の演算を行う際に、やはり上記走査電極２ライン分に対応するオフ画素数の差を求めるが、この場合においては走査電極Ｙａに対応するデータは、全て白（点灯状態）であり、走査電極Ｙａ＋１に対応するデータは、部分的に黒（非点灯状態）があり、その個数は（Ｘｂ−Ｘａ）個である為、結局、前述の式（２）にょって求められるＹＫの値は、ＹＫＰ（Ｎ−（Ｘａ−Ｘｂ））となり、これから走査電極Ｙａ＋１の選択パルスの後淵部に出力される非選択電圧の印加期間は、前走査電極Ｙａの時とは異なり、ＹＦ＋ＹＫＰ（Ｎ−（Ｘａ−Ｘｂ））となり、結局、Ｘｂ＞Ｘａにより、前走査電極Ｙａの時と比べて大きくなっている。この事は、即ち、前走査電極Ｙａの時よりも本走査電極Ｙａ＋１に出力される非選択電圧の印加期間の方が長い事を示しており、これは図４Ａに示す様に、走査電極Ｙａ＋１に選択パルスが印加され始めると同時に、信号電極側から印加されるデータ信号Ｄｘが、オン表示からオフ表示に変化しており、これに伴って走査電極上に発生する走査選択パルスの実効値を増大させる様なスパイク電圧に応じた分だけ、対象となる走査選択パルスＹａ＋１の後淵部で、更に補正しようというものである。
【００７１】
次に、走査電極Ｙａ＋２を走査する場合も、これまでと同様に、走査電極Ｙａ＋１の走査が終わった直後の走査クロックＬＰの時間で、既に表示データＤとして、信号側駆動回路２への走査電極Ｙａ＋２に対応する全信号電極の表示データの転送は完了しており、補正値決定手段７への走査電極Ｙａ＋１及び走査電極Ｙａ＋２それぞれに対応する、全信号電極の表示データの内、オフ（非点灯）画素の表示データの転送も完了している。そして以後、前述と同様の動作を行うが、ここで、補正値決定手段７内で前記式（２）の演算を行う際に、今度は、上記走査電極２ライン分に対応するオフ画素数が同じである為、その差は０となり、結局、走査電極Ｙａ＋２の選択パルスの後淵部に出力される非選択電圧の印加期間ＹＦＫは、Ｙａの時と同じＹＦ＋（ＹＫＰ×Ｎ）となる。この事については、上記走査電極２ラインでは表示データの変化がなく、走査選択パルスＹａの時と同様、走査選択パルスＹａ＋２の印加が始まった時にスパイク電圧の発生がないという計算結果が前提となっている為である。
【００７２】
以上に、第一の表示ムラにおける白抜けを低減する動作の具体的説明として走査電極３ライン分を例に挙げたが、この他の走査電極ラインでも同様の動作を行い、例えば第一の表示ムラにおける黒落ちの場合についても、図１３の表示パターンにおいては、走査電極Ｙｂ＋１の選択パルスで、その後淵部に非選択電圧印加期間ＹＦＫが、ＹＦ＋ＹＫＰ（Ｎ−（Ｘｂ−Ｘａ））となり、この値が、その他の選択パルスの印加が始まった時にスパイク電圧が発生しない走査電極、例えばＹｂやＹｂ＋２の選択パルスの非選択電圧印加期間ＹＦ＋（ＹＫＰ×Ｎ）よりも、走査選択パルスＹｂ＋１がスパイク電圧の発生により、その実効値が小さくなる分だけ、小さくなること以外は上記の説明と同じであり、無論、この補正方法は、説明で用いた図１３以外のあらゆるパターン表示にも適用できる。尚、ここで、上記第一の表示ムラの補正方法について前記式（２）によれば、データ変化が無く、スパイク電圧の影響のない走査選択パルスについてもＹＫＰ×Ｎなる期間、非選択電位が補正電圧印加期間として加算されて出力されるが、これによる実効電圧値、延いてはコントラストの低下分については、補正値をカウントする前述の補正用システムクロックＳＣＫの周期を短くすることによって、影響を極力抑制できる。そして更にパラメータＹＫＰについても、定数ではなく、検出したデータ変化数に応じた変数、例えばこの変化数に応じたある関数に従った値とすることで、常時最適補正値を保ったまま、コントラスト低下を抑制することができる。
【００７３】
上記の構成では表示データの検出にオフ（非点灯）画素数を用いていたが、液晶表示装置の交流化に依存して現れる表示データ変化も考慮した第一の表示ムラを低減させる動作を下記に説明する。
【００７４】
図１３の表示パターンにおける、走査電極Ｙａ〜Ｙａ＋３を走査する場合について説明する。図４Ｂに示されるタイミングチャートによれば、先ず、走査電極Ｙａを走査する場合として、走査電極Ｙａ−１の走査信号においてＶ５からＶ３に変化する。走査選択パルスの印加が終わった直後の走査クロックＬＰの時間では、既に表示データＤとして信号側駆動回路への走査電極Ｙａに対応する全信号電極の表示データの転送は完了している。また、補正値決定手段への走査電極Ｙａ−１及びＹａそれぞれに対応する、全信号電極の表示データの内、オン（点灯）、又はオフ（非点灯）画素の表示データの転送も完了している。尚、表示データ信号Ｄｘは黒（オフ）表示の混じる信号電極Ｘａ＋１〜Ｘｂの何れかの信号データを表している。
【００７５】
そしてその直後、補正値決定手段７では、上記走査電極２ライン分のオン（点灯）又はオフ（非点灯）画素数を所定のタイミングで取り込む。この画素数と、更に、補正値決定手段７に供給された、実際に液晶表示装置に出力される交流化駆動信号ＦＲ２よりも１水平期間分位相の早い、ＦＲ１信号とを用いて、最終的に信号電極から出力されるＶ４（又はＶ２）を出力する電極数を得ておく。交流化駆動信号ＦＲ１信号は、図１Ｂに示されるように、補正値決定手段７内で第１の表示むらの補正値を求める演算を行う際に考慮されるべき信号であり、上述のようにドライバに供給されるコントロール回路５内の交流化信号ＦＲ２に比べて、１水平期間分だけ位相が早い。交流化信号ＦＲ１を、図２Ｂに示されるように、補正値決定手段７内のカウンタに供給することによって、第２の表示むらを補正するために必要な各水平期間のオフ（黒）ドット数に加えて、第１の表示むらをより正確に補正するために必要なＶ４電位（Ｖ２電位でもよい）出力数のカウントを行うことが可能になる。なお、ＳＥＧ出力電圧の変化によって生じる誘導歪みから発生する第１の表示むらの補正において、交流化信号に従って変化する場合も考慮する。従って、図２Ｂに示されるように、オフ（黒）ドット数ではなく、ＳＥＧ電極から出力される電位数Ｖ４（あるいはＶ２）をカウントする。カウントさえ行えば、以後は前回と同じ処理が行われ、ＢＬＮＫ信号が出力される。
【００７６】
交流化信号ＦＲ２に比べて一水平期間分だけ位相の早い交流化信号ＦＲ１を用いる理由を下記に示す。ある走査電極に対応する信号電極データは、交流化駆動のための交流化信号ＦＲ２に従っている。ここで出力電位は、交流化信号ＦＲ２に伴って決定される。従って、例えば補正値決定手段７内において、信号電極データがＦＲ２によって電位変化することを予め知るためには、ＦＲ２に対して一水平期間分だけ位相の早い信号ＦＲ１を用いる必要がある。
【００７７】
交流化信号ＦＲ１を用いる場合の補正値ＹＫを求める式は、以下の通りである。
＜ＦＲ２のロジックレベルが”Ｈ”の場合＞
ＹＫ＝ＹＫＰ（Ｎ−（α（Ｖ４）−β（Ｖ４））    式（４）
＜ＦＲ２のロジックレベルが”Ｌ”の場合＞
ＹＫ＝ＹＫＰ（Ｎ＋（α（Ｖ４）−β（Ｖ４））    式（５）
なお、上記の式において、α（Ｖ４）は第一の走査電極におけるＶ４電位出力信号電極数、β（Ｖ４）は第二の走査電極におけるＶ４電位出力信号電極数を表わす。上記式のα（Ｖ４）−β（Ｖ４）の項によって、走査電極上に誘導されるスパイク電圧の向きを検出することが可能となる。具体的には、α（Ｖ４）−β（Ｖ４）の項が正となる場合は、出力電位Ｖ４数が減少することによって、すなわち出力電位Ｖ２数が増大することによって、スパイク電圧はＶ３からＶ２へ向いて現れる。また、α（Ｖ４）−β（Ｖ４）の項が負となった場合は、出力電位Ｖ４数が増大することによって、スパイク電圧の向きはＶ３からＶ４へ向いて現れる。
【００７８】
ここで、交流化信号ＦＲ２のレベルがＨの時の走査電極上に出力される選択電位をＶ５とする。スパイク電圧の向きが上記式のα（Ｖ４）−β（Ｖ４）の項によってＶ３からＶ２側の向きであると検出された場合（出力電圧レベルがＶ３からＶ２に変化する信号電極数が大多数である場合）、このスパイク電圧は、Ｖ５の出力電圧を伴って走査される選択パルスの実効値を減少させる様に作用する。一方、スパイク電圧の向きが上記式のα（Ｖ４）−β（Ｖ４）の項によってＶ３からＶ４側の向きと検出された場合（出力電圧レベルがＶ３からＶ４に変化する信号電極数が大多数である場合）は、逆に、このスパイク電圧は、Ｖ５の出力電圧を伴って走査される選択パルスの実効値を増大させる様に作用する。従って、これらの作用を減少させるためには、ＹＫ値算出に際して、式（４）が採用される。
【００７９】
また、ＦＲ２のレベルがＬの時の走査電極上に出力される選択電位をＶ１とする。この場合には、スパイク電圧の向きと実効値への作用（影響）の関係が交流化信号ＦＲ２のレベルがＨの場合とは逆となる。従って、これらの作用を減少させるためには、ＹＫ値算出に際して、式（５）が採用される。なお、以上の説明ではＶ４を演算に用いている（基準としている）が、Ｖ２を演算に用いて式（４）を式（５）と入替えれば同じ結果が得られる。
【００８０】
上述の交流化信号と選択パルスの選択電位との関係によれば、信号電極からの出力電位と表示データとの関係は以下の真理値に従う。
【００８１】
【表１】
0003606549.tif 000002
【００８２】
以上の事を踏まえ、予めパラメータ設定手段８から取り込んでいるＹＫＰ、及びＭＯＤのパラメータから、式（４）および（５）に従ってＹＫ値を算出する。ＹＫ値を所定のタイミングにより、補正信号発生手段６に転送し、ここで予め補正値決定手段７から取り込んでいるＹＦと共に、補正信号発生手段６内において、これらのデータを所定のタイミングでラッチし、演算を行い、補正電圧としての非選択電圧の印加期間ＹＦＫの値を式（３）により算出する。このようなタイミングで、図４Ｂで示したＹＦＫのＹａ−１行補正値が確定する。
【００８３】
但し、ここでは第一の表示ムラのみを抑制する説明を行っているため、他のパラメータ設定手段において設定されるパラメータ、ＹＳＰ、ＹＷＰおよびＹＢＰの値は、全て無視されるので０と仮定している。これにより補正値決定手段７から補正信号発生手段６に出力される各種補正値ＹＳ、ＹＷおよびＹＢの値も０となる。以後の第一の表示ムラの抑制に関する説明においても、このような仮定を前提とする。
【００８４】
このような仮定において、走査電極Ｙａ−１と走査電極Ｙａに対応するＶ４データ数は、どちらも０個であり、式（４）により、ＹＫの値はＹＫＰ×Ｎとなる。よって式（３）により、結局ＹＦＫの値はＹＦ＋（ＹＫＰ×Ｎ）となり、図４Ｂで示した様に、一水平期間の後淵部側が、この値に従った期間の幅だけ、例えばロジック電圧のＬＯＷとなる様なＢＬＮＫパルスを、補正信号発生手段６から走査側駆動手段３に出力することで、上記ＬＯＷ出力に相当する期間だけ、非選択電圧が走査電極Ｙａの選択パルスに出力される。
【００８５】
次に、走査電極Ｙａ＋１を走査する場合は、走査電極Ｙａの時と同様、走査電極Ｙａの走査が終わった直後の走査クロックＬＰの時間で、既に表示データＤとして、信号側駆動回路２への走査電極Ｙａ＋１に対応する全信号電極の表示データの転送は完了している。また、補正値決定手段７への走査電極Ｙａ及び走査電極Ｙａ＋１それぞれに対応する、全信号電極の表示データのうち、Ｖ４電位出力データの転送も完了している。
【００８６】
以後、前述と同様の動作を行うが、ここで、補正値決定手段７内で前記式（４）の演算を行う際に、やはり上記走査電極２ライン分に対応するＶ４電位出力数の差を求めるが、この場合においては走査電極Ｙａに対応するＶ４は０個であり、走査電極Ｙａ＋１に対応するＶ４数は（Ｘｂ−Ｘａ）個である。従って、式（４）によって求められるＹＫの値は、
ＹＫＰ（Ｎ−（Ｘａ−Ｘｂ））
となる。また、走査電極Ｙａ＋１の選択パルスの後淵部に出力される非選択電圧の印加期間は、前走査電極Ｙａの時とは異なって
ＹＦ＋ＹＫＰ（Ｎ−（Ｘａ−Ｘｂ））
となる。Ｘｂ＞Ｘａより、本走査電極Ｙａ＋１の非選択電圧の印加期間は、前走査電極Ｙａの印加期間（ＹＦ＋（ＹＫＰ×Ｎ））よりも大きくなっている。このことは、即ち、前走査電極Ｙａのときよりも、本走査電極Ｙａ＋１に出力される非選択電圧の印加期間の方が長いことを示している。図４Ａに示されるように、走査電極Ｙａ＋１に選択パルスが印加され始めると同時に、信号電極側から印加される出力電位ＤＶがＶ２からＶ４に変化している。従って、この出力電圧ＤＶの変化に伴って、走査電極上に発生する走査選択パルスの実効値を増大させるスパイク電圧に応じた分だけ、対象となる走査選択パルスＹａ＋１の後淵部において、印加時間ＹＦＫを増大させ（補正値を増大させ）ることによって、走査電極ＹａおよびＹａ＋１の実効値が合わせられるという補正が行われる。
【００８７】
次に、走査電極Ｙａ＋２を走査する場合も、これまでと同様に、走査電極Ｙａ＋１の走査が終わった直後の走査クロックＬＰの時問で、既に表示データＤとして、信号側駆動回路２への走査電極Ｙａ＋２に対応する全信号電極の表示データの転送は完了しており、補正値決定手段７への走査電極Ｙａ＋１及び走査電極Ｙａ＋２それぞれに対応する、全信号電極の表示データの内、Ｖ４電位出力データの転送も完了している。以後、前述と同様の動作を行うが、ここで、補正値決定手段７内で上述の式（４）の演算を行う際に、今度は、上記走査電極２ライン分に対応するＶ４数が同じであるため、その差は０となり、結局、走査電極Ｙａ＋２の選択パルスの後淵部に出力される非選択電圧の印加期間ＹＦＫは、Ｙａの時と同じＹＦ＋（ＹＫＰ×Ｎ）となる。これは、上記走査電極２ラインでは表示データの変化がなく、走査選択パルスＹａの時と同様、走査選択パルスＹａ＋２の印加が始まった時にスパイク電圧の発生がないという計算結果が前提となっているためである。
【００８８】
走査電極Ｙａ＋３を走査する場合も、これまでと同様に、走査電極Ｙａ＋２の走査が終わった直後の走査クロックＬＰの時間で、既に表示データＤとして、信号側駆動回路２への走査電極Ｙａ＋３に対応する全信号電極の表示データの転送は完了している。また、補正値決定手段７への走査電極Ｙａ＋２及び走査電極Ｙａ＋３それぞれに対応する、全信号電極の表示データの内、Ｖ４電位出力データの転送も完了している。以後、前述と同様の動作を行うが、ここでは、交流化信号がＬレベルとなっており、よって補正値決定手段７内では上述の式（５）の演算が行われる。そして、やはり上記走査電極２ライン分に対応するＶ４電位出力数の差を求めるが、この場合においては走査電極Ｙａ＋２に対応するＶ４数は（Ｘｂ−Ｘａ）個であり、走査電極Ｙａ＋３に対応するＶ４数は、表示画素データは同じでも位相の早い交流化信号ＦＲ１によりＮ（Ｘｂ−Ｘａ）個となる為、結局、前述の式（５）によって求められるＹＫの値は、ＹＫＰ（２（Ｘｂ−Ｘａ））となり、走査電極Ｙａ＋３の選択パルスの後淵部に出力される非選択電圧の印加期問ＹＦＫは、ＹＦ＋ＹＫＰ（２（Ｘｂ−Ｘａ））となる。
【００８９】
以上に、交流化駆動による表示データ反転の場合も考慮した、第一の表示ムラを低減する動作を走査電極４ライン分を例に挙げて具体的に説明したが、この他の走査電極ラインにおいても同様の動作を行うことによって、より正確な第一の表示ムラの低減を図ることが可能となる。
【００９０】
続いて、第二の表示ムラを低減する動作の説明を行う。
【００９１】
或る走査電極に対応する信号電極から印加されるデータの表示内容における、オン（点灯）画素数とオフ（非点灯）画素数の総画素数に対する割合は、該走査電極単位としての液晶画素の等価的容量値に影響を及ぼし、任意の走査電極間に発生するこの容量差が、結局それぞれに対応する走査選択パルスの実効値差となって現れる。
【００９２】
そこで、本液晶表示装置において、上記実効電圧値の変化に対する補正を行う考え方として、図１３に示した走査電極Ｙａ＋１〜走査電極Ｙｂのラインで見られる第二の表示ムラによる白抜けを抑制する作用を例に挙げて示す。
【００９３】
本液晶表示装置は、走査電極単位としての容量値が最小となる、即ち、対応する表示データが全てオフ（非点灯）画素となり、該走査電極の実効電圧値が最大となる時を想定し、この場合の走査選択パルスの実効値を基準とし、他の走査選択パルスの実効値の基準からの差異を適宜、その程度に応じた分だけ、走査選択パルスの実効値を減少させる様な補正電圧としての非選択電圧を、対象となる走査選択パルスの後淵部に出力する事を特徴としている。
【００９４】
従って、ある走査電極に対応する信号電極から印加されるデータの表示の内、オフ（非点灯）画素数を検出し、この個数がγ（ｏｆｆ）であった場合、下に示す式により得られた値ＹＳが走査選択パルスの後淵部に非選択電圧の出力期間として与えられる。
【００９５】
ＹＳ＝ＹＳＰ×γ（ｏｆｆ）  式（６）
上記の値ＹＳを持った非選択電圧を適宜、対応する走査選択パルスに出力する事によって、走査電極単位として現れる、表示データ内容の差異によって起こる各走査選択パルス間の実効電圧値の差異を少なくする事ができ、オフ（非点灯）画素のより多い走査電極Ｙａ＋１〜走査電極Ｙｂのラインで発生する第二の表示ムラを抑制する事ができる。
【００９６】
ここで上式におけるＹＳＰは、補正幅を決定する定数を表わしており、これは、
第二の表示ムラを低減する為に必要な非選択電圧の出力期間が最適な値になる様に設定される。
【００９７】
ここで以上の第二の表示ムラの抑制に対する、より具体的説明を行う為、図５に示したタイミングチャートを参照しながら、走査電極Ｙａ＋１を例として挙げ、この走査電極ラインで起こる第二の表示ムラにおける白抜けを補正する技術を説明する。
【００９８】
図５における走査電極Ｙａを走査する場合として、走査電極Ｙａ−１の走査信号においてＶ５からＶ３に変化して、走査選択パルスの印加が終わった直後の走査クロックＬＰの時間では、既に表示データＤとして、信号側駆動回路２への走査電極Ｙａに対応する全信号電極の表示データの転送は完了しており、補正値決定手段７への走査電極Ｙａに対応する、全信号電極の表示データの内、オフ画素の表示データの転送も完了している。
【００９９】
そしてその直後、補正値決定手段７では、上記走査電極に対応するデータのオフ画素数を所定のタイミングで取り込み、予めパラメータ設定手段８から取り込んでいるＹＳＰなるパラメータから、前述の式（６）に従ったＹＳの値を算出する。そしてこの値を所定のタイミングにより、補正信号発生手段６に転送し、補正信号発生手段６内において、このデータを所定のタイミングでラッチし、そして演算を行い、ここで補正電圧としての非選択電圧の印加期間ＹＳが決定され、よってこのタイミングで、図５で示したＹＳのＹａ行補正値が確定する事となる。
【０１００】
従ってこの場合は、走査電極Ｙａに対応するデータは、全て白（点灯状態）であり、式（６）により、ＹＳの値は０となる。よって、図５で示した様に、対応する補正信号発生手段６から出力されるＢＬＮＫパルスは、ＬＯＷになる事はなく、結果、走査電極Ｙａには一水平期間中、選択電位を維持した走査選択パルスが走査側駆動手段３より印加される事となる。
【０１０１】
但し、ここでは第二の表示ムラのみを抑制する説明を行っている為、他のパラメータ設定手段にて設定されるパラメータ、ＹＫＰ、ＹＷＰ、ＹＦＰ、そしてＹＢＰの値は全て無視する為、０としており、これにより補正値決定手段７より補正信号発生手段に出力される各種補正値ＹＫ、ＹＷ、ＹＦ、そしてＹＢの値も０となる。更にＭＯＤについては、ここでは用いられない為、特に触れない。以後の第二の表示ムラの抑制に関する説明においても、この事を前提とする。次に走査電極Ｙａ＋１を走査する場合も、走査電極Ｙａの時と同様、走査電極Ｙａの走査が終わった直後の走査クロックＬＰの時間で、既に表示データＤとして、信号側駆動回路２への走査電極Ｙａ＋１に対応する全信号電極の表示データの転送は完了しており、補正値決定手段７への走査電極Ｙａ＋１に対応する、全信号電極の表示データの内、オフ（非点灯）画素の表示データの転送も完了している。そして以後、前述と同様の動作を行うが、ここではオフ（非点灯）画素数が、（Ｘｂ−Ｘａ）個あり、よって補正値決定手段７内で前記式（６）の演算結果により算出されるＹＳ値が、ＹＳＰ×（Ｘｂ−Ｘａ）である事から、この値に従った期間の幅だけ一水平期間の後淵部側が、ロジック電圧のＬＯＷとなる様なＢＬＮＫパルスを、補正信号発生手段６から走査側駆動手段３に出力する事で、上記ＬＯＷ出力に相当する期間だけ非選択電圧が走査電極Ｙａの選択パルスに出力される。
【０１０２】
上記の結果、補正値ＹＳにおいて、全てオン（点灯）画素である走査電極Ｙａの走査選択パルスよりも、オフ（非点灯）画素の混じる走査電極Ｙａ＋１の走査選択パルスの方が、オフ（非点灯）画素数の過剰数に応じた分だけ小さくなり、よって走査電極Ｙａ＋１で起こる第二の表示ムラに対する白抜けを低減できる。
【０１０３】
以上に、第二の表示ムラにおける白抜けを低減する動作の具体的説明として走査電極２ライン分を例に挙げたが、この他の走査電極ラインでも同様の動作を行い、結果として図１３の表示においては、上記の走査電極Ｙａ＋１を含む走査電極Ｙａ＋１〜走査電極Ｙｂに対応する走査選択パルスは、全て同じ補正値となり、これらのラインで起こる白抜けを低減する事となる。
【０１０４】
又、この補正方法は、説明で用いた図１３以外のあらゆるパターン表示にも適用できる事は言うまでもない。尚、ここで、パラメータＹＳＰについては定数ではなく、検出したオフ画素数に応じた変数、例えば該画素数に応じた或る関数に従った値とする事としても良い。
【０１０５】
続いて、第三の表示ムラを低減する動作の説明を行う。
【０１０６】
図１１を用いて従来の技術の項目で説明した様に、液晶表示パネルにおいては、特に走査電極単位として、大きく分けると端部近辺と中央部近辺で、電気光学特性が異なっており、液晶駆動電圧としての最適実効値をパネル中央部で合わせると、端部でバックライトからの光透過率が上がる事になり、結局それぞれの走査電極に対応する走査選択パルスの最適電圧値の差となって現れる。
【０１０７】
そこで、本液晶表示装置において、上記最適電圧値の差異に対する補正を行う考え方として、図１３に示したパネル端部としての走査電極Ｙ１、Ｙ２、Ｙ３のラインを代表として挙げ、これらの走査電極で見られる第三の表示ムラによる白抜けを抑制する作用を例に挙げて示す。
【０１０８】
本液晶表示装置は、走査電極単位として現れるパネル端部と中央部での走査選択パルスの最適電圧値の差異を低減する為、端部から中央部にかけての予め決められた走査電極ライン数分の、走査電極毎の補正値を適宜、対応する走査選択パルスの実効値を減少させる様な補正電圧としての非選択電圧を、最適電圧値からのズレの補正として、走査選択パルスの後淵部に出力する事を特徴としている。従って、ある液晶パネル端部に近い走査電極を走査する場合、この走査電極に対応する補正値は、下に示す式により得られる値ＹＷとして、走査選択パルスの後淵部に非選択電圧の出力期間として与えられる。
【０１０９】
ＹＷ＝ＹＷＰ（ｎ）  式（７）
上記の値ＹＷを持った非選択電圧を適宜、対応する走査選択パルスに出力する事によって、走査電極単位として現れる、電気光学特性の差異によって起こる各走査選択パルス間の最適電圧値の差異を少なくする事ができ、液晶パネル端部近辺で見られる走査電極単位としての、端部から中央部の方向に段階的に現れる第三の表示ムラを抑制する事ができる。
【０１１０】
ここで上式におけるＹＷＰ（ｎ）は、端部から第ｎ番目の走査電極に対応する補正幅を表しており、ｎの範囲としては、全ての走査電極ラインを対象としても良いが、使用する液晶モジュールの第三の表示ムラに関わる電気光学特性のデータに基づいて、予め決定された必要最小限の範囲とする事で、装備、又はコストの無駄が省かれる。尚、ＹＷＰ（ｎ）については、パラメータ設定手段８としてＲＯＭ等の記憶手段を用いた場合は、その内部に対象とした走査電極の全ての補正値自身、即ちＹＷＰ（ｎ）を格納しておけば良く、又、一般回路等による設定手段とした場合については、例えば、ＹＷＰとして他のパラメータと同様に、一つの設定値としておき、これをべースとして、補正値決定手段７内で、適宜、必要なタイミングにおいてロジック回路等を用いて、各走査電極の補正値に展開するといった方法も考えられるが、以下の説明では、パラメータ設定手段８として記憶手段を用いた場合について記した。
【０１１１】
ここで以上の第三の表示ムラの抑制に対する、より具体的説明を行う為、図６に示したタイミングチャートを参照しながら、走査電極Ｙ１、Ｙ２、Ｙ３を例として挙げ、これらの走査電極ラインで起こる第三の表示ムラにおける白抜けを補正する技術を説明する。
【０１１２】
図６における走査電極Ｙ１を走査する場合として、走査開始信号ＦＬＭが補正値決定手段７に入力されると、例えば該手段内の水平期間ＬＰカウンタにリセットがかかり、図６のＬＰカウントが１の値を示す。次にこのカウント値をアドレス情報としてパラメータ設定手段８に転送し、該手段８はこれを受けて、走査電極Ｙ１に対応する補正値ＹＷＰ（１）を所定のタイミングで送り返す。次に補正値決定手段７はこれをＹＷ、即ち走査電極Ｙ１の補正値として所定のタイミングにより、補正信号発生手段６に転送し、補正信号発生手段６内において、このデータを所定のタイミングでラッチし、そして演算を行い、ここで補正電圧としての非選択電圧の印加期間ＹＷが決定され、よってこのタイミングで図６で示したＹＷのＹ１行補正値が確定する事となる。従ってこの場合は、補正信号発生手段６から出力されるＢＬＮＫパルスは、この時のＹＷに従った値、即ちＹＷＰ（１）の期間の幅だけ一水平期間の後淵部側が、ロジック電圧のＬＯＷとなる様なＢＬＮＫパルスを、補正信号発生手段６から走査側駆動手段３に出力する事で、上記ＬＯＷ出力に相当する期間だけ非選択電圧が走査電極Ｙ１の選択パルスに出力される。
【０１１３】
但し、ここでは第三の表示ムラのみを抑制する説明を行っている為、他のパラメータ設定手段にて設定されるパラメータ、ＹＫＰ、ＹＳＰ、ＹＦＰ、そして、ＹＢＰの値は全て無視する為、０としており、これにより補正値決定手段７より補正信号発生手段に出力される各種補正値ＹＫ、ＹＳ、ＹＦ、そしてＹＢの値も０となる。ＭＯＤについては、後述する。
【０１１４】
以後の第三の表示ムラの抑制に関する説明においても、この事を前提とする。
【０１１５】
次に、走査電極Ｙ２を走査する場合として、前述のＦＬＭ信号が入力された後、一回目の走査クロック信号ＬＰが補正値決定手段７に入力されると、水平期間ＬＰカウンタがカウント値２を示す。その後は、カウント値１の時と同様の動作を行い、結局、この場合は、補正信号発生手段６から出力されるＢＬＮＫパルスは、この時のＹＷに従った値、即ちＹＷＰ（２）の期間の幅だけ一水平期間の後淵部側が、ロジック電圧のＬＯＷとなる様なＢＬＮＫパルスを、補正信号発生手段６から走査側駆動手段３に出力する事で、上記ＬＯＷ出力に相当する期間だけ非選択電圧が走査電極Ｙ２の選択パルスに出力される。
【０１１６】
次に、走査電極Ｙ３を走査する場合として、前述のＦＬＭ信号が入力された後、二回目の走査クロック信号ＬＰが補正値決定手段７に入力されると、水平期間ＬＰカウンタがカウント値３を示す。その後は、カウント値２の時と同様の動作を行い、結局、この場合は、補正信号発生手段６から出力されるＢＬＮＫパルスは、この時のＹＷに従った値、即ちＹＷＰ（３）の期間の幅だけ一水平期間の後淵部側が、ロジック電圧のＬＯＷとなる様なＢＬＮＫパルスを、補正信号発生手段６から走査側駆動手段３に出力する事で、上記ＬＯＷ出力に相当する期間だけ非選択電圧が走査電極Ｙ３の選択パルスに出力される。
【０１１７】
次に、第三の表示ムラの影響を受けない中央部近辺の走査電極として、例えば走査電極Ｙａ−１を挙げると、これが走査される時は、水平期間ＬＰカウンタ値によらず、延いては、パラメータ設定手段８から送られる補正値ＹＷによらず、補正値決定手段７から最後の補正信号発生手段６に出力するＹＷ値として０を選択する様にしておけば、図６に示す様に、結果的に走査電極Ｙａ−１の走査選択パルスに補正電圧としての非選択電圧が出力される事はない。
【０１１８】
ところで、パネル上端部からの補正の動作を例として挙げたが、パネル下端部からの補正についても無論、同様の動作を行う事が言え、この場合については、パラメータＭＯＤを用いて、最終の走査電極の走査ライン数を知る必要がある。その理由としては、例えば液晶パネル最下端から、走査電極ラインＡ行分で補正を行いたい時、総走査電極数Ｚを用いなければ、水平期間ＬＰカウンタがＺ−Ａ＋１の値を示した時から、このカウント値及びパラメータ設定手段８から送られてくるＹＷの値を有効としなければならない事が認識できないからである。更に、上端部及び下端部それぞれ別として、任意の走査電極数及び任意の補正値ＹＷＰ（ｎ）が、パラメータ設定手段８で設定可能である事は言うまでもない。
【０１１９】
以上の様な要領で、予め設定、又は用意しておいた走査電極まで毎水平期間、対応する走査選択パルスに補正を施す事で、第三の表示ムラによる白抜けの低減を図る事ができる。
【０１２０】
以上まで、第一の表示ムラ、第二の表示ムラ、及び第三の表示ムラを低減させる為の、本液晶モジュールにおける作用を、三種の表示ムラの個別の説明として行ってきたが、何れについても図１Ａに示した構成の本液晶表示装置を用いて各種表示ムラの低減を達成したものであり、実際の使用においては、各種表示ムラ全てを考慮した走査選択パルスヘの補正として、適宜、補正電圧としての非選択電圧を印加させる必要がある為、走査選択パルス後淵部への補正として、補正値の統合化を図る事となる。以下に、該補正の統合化を図った本液晶表示装置の一般的動作を、図２Ａに示したブロック詳細図と、図３に示したタイミングチャートを用いて説明する。
【０１２１】
例えば一般的に、連続する走査電極として、走査電極ｎ−１、走査電極ｎ、走査電極ｎ＋１の各走査ラインにおける走査選択パルスを考えた場合、先ず図３に示す様に、ｎ−１番目の走査クロックＬＰのタイミングでは、既に表示データＤとして、信号側駆動回路２への走査電極ｎ−１に対応する全信号電極の表示データの転送は完了しており、同時に補正値決定手段７への走査電極ｎ−２及び走査電極ｎ−１それぞれに対応する、全信号電極の表示データの内、オフ（非点灯）画素の表示データの転送も完了している。
【０１２２】
そしてその後、補正値決定手段７において、前述の第一の表示ムラ低減の動作説明で述べた様に、パラメータ設定手段８より供給された各種パラメータの内、ＹＫＰ及びＭＯＤを補正値決定手段７内の演算ブロックに取り込み、演算を行う事によって、先ず走査電極ｎ−１に対する第一の表示ムラの補正値ＹＫを算出し、補正信号発生手段６に転送する。
【０１２３】
続いて、補正値決定手段７において、前述の第二の表示ムラ低減の動作説明で述べた様に、パラメータ設定手段８より供給された各種パラメータの内、ＹＳＰを補正値決定手段７内の演算ブロックに取り込み、演算を行う事によって、走査電極ｎ−１に対する第一の表示ムラの補正値ＹＳを算出し、補正信号発生手段６に転送する。
【０１２４】
続いて、補正値決定手段７において、前述の第三の表示ムラ低減の動作説明で述べた様に、パラメータ設定手段８より供給された、走査電極ｎ−１に応じたの補正値ＹＷＰ（ｎ−１）を補正値決定手段７内の演算ブロックに取り込み、走査電極ｎ−１に対する第三の表示ムラの補正値ＹＷとして算出し、補正信号発生手段６に転送する。
【０１２５】
補正信号発生手段６においては、図３にタイミングチャートで示したデータラッチ箇所、つまり、上記のＹＫ、ＹＳ、ＹＷの補正値が、走査電極ｎ−１行に対する補正値を示している最中のタイミングで、補正信号発生手段６内の補正値統合化演算手段からの演算結果出力を取り込む。尚、この出力は、走査電極ｎ−１に対応した補正値を示しているＹＫ、ＹＳ、ＹＷ及び、固定値である為、常時、該演算手段に入力されているＹＦとを併せ、これを一水平期間の値から差し引いた値となる。この一水平期間の値は、図２Ａの補正信号発生手段６内における、一水平期間サンプリング内で得られる補正用システムクロックＳＣＫ数とする。この数をＺとすると、結局、下式の様になる。
【０１２６】
補正信号発生部入力値＝Ｚ−（ＹＫ＋ＹＦ＋ＹＳ＋ＹＷ）
ＢＬＮＫパルス出力として上式の値を用いる事により、図３に示した走査電極ｎ−１の走査選択パルスの、選択電位Ｖ５から非選択電位Ｖ３へ切り換えるタイミングを決定する事が可能となる。又これにより、以後の非選択電圧の出力期間として、同図のｎ−１行選択パルスで示した様な▲２▼＋▲３▼＋▲４▼＋▲５▼の期間として反映される事となる。
【０１２７】
更に選択パルス前淵部にて▲１▼の期間だけ、非選択電圧が出力されているが、これは、補正値ＹＢで走査選択パルスのオフセット補正値として与えられ、毎水平期間の開始から、この値に応じた期間だけＢＬＮＫパルス出力が、ＬＯＷとなる様に作用する。
【０１２８】
以後、続いて走査電極ｎ行の走査選択パルス、及び、走査電極ｎ＋１行の走査選択パルスについても、同様の動作を行い、図３に示した様なタイミングチャートとなる。
【０１２９】
【発明の効果】
以上詳細に説明した様に、本発明によれば、走査電極単位として現れる、信号電極側から印加される表示データの電位変化によって現れる第一の表示ムラ及び、信号電極側より印加される表示データのオン（点灯）画素数とオフ（非点灯）画素数の比率に依存して現れる第二の表示ムラ及び、液晶モジュールにおける液晶画素の電気光学特性の不均一性に依存して現れる第三の表示ムラを、コントラストの低下を極力抑えつつ、且つコストの増加を必要最小限としながらも、前記三種の表示ムラを走査選択パルスに補正を施す事によって低減を図り、液晶表示装置の表示品位の向上を達成する事が可能となる。
【０１３０】
また、第１補正期間を決定する補正値決定手段が、走査電圧を印加する走査電極に対応する信号電圧の先の走査時からの変化の抽出に際し、液晶表示装置の交流化駆動を考慮した手段を有すれば、第一の表示ムラの低減はより効果的となる。
【図面の簡単な説明】
【図１Ａ】本発明の実施形態の液晶表示装置を示すブロック図である。
【図１Ｂ】本発明の実施形態の液晶表示装置を示すブロック図である。
【図２Ａ】図１Ａのブロック図における補正信号発生手段６、補正値決定手段７およびパラメータ設定手段８の詳細を示すブロック図である。
【図２Ｂ】図１Ｂのブロック図における補正信号発生手段６、補正値決定手段７およびパラメータ設定手段８の詳細を示すブロック図である。
【図３】本発明の実施形態における動作タイミングチャートである。
【図４Ａ】第一の表示ムラを改善する本発明の実施形態における動作タイミングチャートである。
【図４Ｂ】第一の表示ムラを改善する本発明の実施形態における動作タイミングチャートである。
【図５】第二の表示ムラを改善する本発明の実施形態における動作タイミングチャートである。
【図６】第三の表示ムラを改善する本発明の実施形態における動作タイミングチャートである。
【図７】（Ａ）および（Ｂ）は従来の駆動波形の動作タイミングチャートを示す図であり、第一の表示ムラの原理を示す図である。
【図８】（Ａ）および（Ｂ）は第一の表示ムラの改善を図った従来（特開平７−８４２３７号公報）の駆動波形の動作タイミングチャートである。
【図９】（Ａ）および（Ｂ）は従来の駆動波形の動作タイミングチャートを示す図であり、第二の表示ムラの原理を示す図である。
【図１０】（Ａ）および（Ｂ）は第二の表示ムラの改善を図った従来（特開平２−８９号公報）の駆動波形の動作タイミングチャートである。
【図１１】第三の表示ムラの原因を説明するための液晶材料の電気光学特性の一例を示す図である。
【図１２】（Ａ）および（Ｂ）は第三の表示ムラの改善を図った従来の駆動波形の動作タイミングチャートである。
【図１３】液晶パネルの表示状態を示す図である。
【図１４】従来の液晶表示装置を示す図である。
【符号の説明】
１  液晶パネル
２  信号側駆動回路
３  走査側駆動回路
４  電源回路
５  コントロール回路
６  補正信号発生手段
７  補正値決定手段
８  パラメータ設定手段
ＹＫ  第一の表示ムラに対応する補正値（変化値；選択パルス後淵部補正）
ＹＳ  第二の表示ムラに対応する補正値（変化値；選択パルス後淵部補正）
ＹＷ  第三の表示ムラに対応する補正値（変化値；選択パルス後淵部補正）
ＹＦ  第一の表示ムラに対応する補正値（固定値；選択パルス後淵部補正）
ＹＢ  オフセット用補正値（固定値；選択パルス前淵部補正）
ＭＯＤ  液晶パネル解像度情報値（固定値）
ＳＣＫ  補正信号発生システムクロック
ＢＬＮＫ  選択パルス制御信号
ＹＦＫ  結局としての第一の表示ムラに対する補正値
Ｄ  表示データ
ＣＫ  データシフトクロック
ＬＰ  走査クロック
ＦＲ  交流化信号
ＦＲ１  交流化信号
ＦＲ２  交流化信号
ＦＬＭ  走査開始信号
Ｄｘ  オン表示からオフ表示にデータが切り替わる信号電極波形
ＹＭ  第Ｍ番目の走査電極
ＸＮ  第Ｎ番目の信号電極
Ｖｔｈ１  液晶表示パネルの端部の電気光学的特性
Ｖｔｈｎ  液晶表示パネルの中央部の電気光学的特性
Δｔ  誘導歪み（スパイク電圧）を避ける為の所定の期間
Ｖ１  選択電圧値
Ｖ２  信号電圧値
Ｖ３  非選択電圧値
Ｖ４  信号電圧値
Ｖ５  選択電圧値
【図１Ａ】
0003606549.tif 000003
【図１Ｂ】
0003606549.tif 000004
【図２Ａ】
0003606549.tif 000005
【図２Ｂ】
0003606549.tif 000006
【図３】
0003606549.tif 000007
【図４Ａ】
0003606549.tif 000008
【図４Ｂ】
0003606549.tif 000009
【図５】
0003606549.tif 000010
【図６】
0003606549.tif 000011
【図７】
0003606549.tif 000012
【図８】
0003606549.tif 000013
【図９】
0003606549.tif 000014
【図１０】
0003606549.tif 000015
【図１１】
0003606549.tif 000016
【図１２】
0003606549.tif 000017
【図１３】
0003606549.tif 000018
【図１４】
0003606549.tif 000019